(57)【要約】【課題】観察条件を考慮し、より好ましい光沢性となる方向で画像記録（印刷）できるようにする。【解決手段】画像データを入力する入力部８０１と、当該画像データに基づく画像の上下方向の画像方向を取得する画像方向判定部（画像方向取得部）８０２と、記録媒体の紙目方向を取得する紙目方向判定部（紙目方向取得部）８０３と、光の入射方向を取得する入射方向判定部（入射方向取得部）８０４と、前記画像方向、前記紙目方向、及び、前記入射方向に基づいて、記録媒体における画像配置を決定する決定部８０５を備える。【選択図】図８
2012175131.tif 000002
【特許請求の範囲】
【請求項１】
画像データを入力する入力部と、
前記画像データに基づく画像の上下方向の画像方向を取得する画像方向取得部と、
記録媒体の紙目方向を取得する紙目方向取得部と、
光の入射方向を取得する入射方向取得部と、
前記画像方向、前記紙目方向、及び、前記入射方向に基づいて、前記記録媒体における画像配置を決定する決定部と
を有することを特徴とする画像処理装置。
【請求項２】
前記紙目方向取得部は、
前記記録媒体の種類を取得する記録媒体取得部と、
前記記録媒体の紙目方向を保持する保持部と、
前記記録媒体取得部にて取得された記録媒体の種類から、前記保持部を参照し、前記記録媒体の紙目方向を検出する検出部と
を含むことを特徴とする請求項１に記載の画像処理装置。
【請求項３】
前記決定部は、
前記画像の上下方向、前記紙目方向、及び、前記入射方向の組み合わせから、出力方向の変更の有無を判定する判定部と、
前記判定部による判定結果にしたがって、前記画像データを編集する画像編集部と
を含むことを特徴とする請求項１に記載の画像処理装置。
【請求項４】
前記画像配置に係る印刷設定は、記録媒体の種類設定および光沢設定の少なくとも２つを含むことを特徴とする請求項１乃至３のいずれか１項に記載の画像処理装置。
【請求項５】
前記決定部は、前記記録媒体上における前記画像の光沢が異なる印刷方向のうちの少なくとも１つを選択することを特徴とする請求項１乃至４のいずれか１項に記載の画像処理装置。
【請求項６】
前記紙目方向取得部は、光沢センサーからのデータを入力する光沢センサーデータ入力部と、
前記光沢センサーからのデータに基づいて、記録媒体の紙目方向を判定する紙目方向判定部と
を有することを特徴とする請求項１乃至５のいずれか１項に記載の画像処理装置。
【請求項７】
前記紙目方向判定部は、前記光沢センサーの測定値における前記記録媒体の垂直方向、及び、水平方向の２方向の測定値に基づいて、前記記録媒体の紙目方向を判定することを特徴とする請求項６に記載の画像処理装置。
【請求項８】
画像データを入力する入力ステップと、
前記画像データに基づく画像の上下方向の画像方向を取得する画像方向取得ステップと、
記録媒体の紙目方向を取得する紙目方向取得ステップと、
光の入射方向を取得する入射方向取得ステップと、
前記画像方向、前記紙目方向、及び、前記入射方向に基づいて、前記記録媒体における画像配置を決定する決定ステップと
を有することを特徴とする画像処理方法。
【発明の詳細な説明】
【技術分野】
【０００１】
本発明は、画像を記録（印刷）する際の処理を行う画像処理装置及び画像処理方法に関する。
【背景技術】
【０００２】
色材を用いて記録媒体上に画像を記録する方法として、電子写真方式やインクジェット方式が知られている。電子写真方式での画像の記録は、レーザにより感光体に潜像を磁化感光させて色材を吸着し、色材を記録媒体の上に落として熱を加え定着させる方法が広く利用されている。また、インクジェットプリンタでの画像の記録は、インクの小滴をヘッドより記録媒体上に吐出して行われる。また、ヘッドからインクの小滴を吐出する方法としては、電圧の印加により機械的歪を発生する圧電素子（ピエゾ素子）を用いた方法と、インクを急速に加熱して気化させ、その時に発生する気泡の高圧を利用する方法が広く利用されている。
【０００３】
以下では、インクジェットプリンタで写真を印刷する場合を例に説明する。
インクジェットプリンタでは、記録媒体に光沢紙が用いられることが多い。例えば、光沢紙の構造の一例としては、インクを浸透、定着するためのインク受容層、発色性を向上させるレジンコート層、プリンタとの適正化を図ったバックコート層からなる。記録媒体にもよるが、インク受容層の膜厚は、数十μｍであるのが一般的である。インク受容層は、レジンコート層の上に塗布されるが、表面の形状は塗布方向と、その垂直方向で異なることが知られている（以後、インク受容層に対して塗布する方向を「紙目方向」と称する）。
【０００４】
図１は、紙目方向を模式的に示す図である。更に、インク受容層の紙目方向とその垂直方向では、光沢性が大きく異なることが実験的にわかっている。ここで、光沢性には、正反射の光量を示す鏡面光沢度と、写り込んだ像のボケ具合を示す写像性とがあるが、ここでの光沢性は写像性を指すものとする。
【０００５】
このような紙目方向による光沢性の違いは、インク受容層の表面が露出している部分で顕著であり、インクジェットプリンタで印刷した後の記録媒体上でも容易に確認することができる。ここで、インクジェットプリンタに用いられているインクについては、水に溶解しやすい染料インクと、画像の耐候性や耐水性を優れた顔料インクとがある。染料インクの場合では、色材が記録媒体内部に浸透し、定着する。そのため、染料インクの塗布では、インク受容層の表面は露出したままであり、紙目方向の影響をキャンセルすることはできない。一方、顔料インクの場合では、色材が記録媒体の内部まで浸透しにくく、記録媒体表面を覆う事が知られている。また、無色インクを用いて、非印字部においても記録媒体表面を覆うことが可能である。例えば、下記の特許文献１のような、無色インクのオーバーコートにより、インク受容層の露出を防ぐ技術がある。
【０００６】
図２は、インク受容層の膜厚と、定着後の顔料インクの膜厚との関係を模式的に示す図である。
しかしながら、顔料インクの種類にもよるが、定着後の顔料インク膜厚は、図２に示すように、数十〜数百ナノメートルであり、前述したインク受容層の数十マイクロメートルに比べて十分小さいことが知られている。そのため、単に顔料インクにおいて記録媒体表面を覆うだけでは、紙目方向による影響をキャンセルすることはできない。また、顔料インクを多量に使用して、インク受容層の表面形状を均一にする場合、前述したように定着後のインク膜厚に対して、インク受容層の高さが数百倍である。この差をインクの打ち込みによって埋めるには、記録媒体の打ち込み量制限を大きく超えるインク量が必要となる。その場合、記録媒体上にインクがあふれる等の障害が発生するため、非現実的な方法である。
【先行技術文献】
【特許文献】
【０００７】
【特許文献１】特開２００３−１３２３５０号公報
【発明の概要】
【発明が解決しようとする課題】
【０００８】
前述した光沢性の特徴である写像性は、反射における正反射成分と正反射近傍の成分の比で表される。これを踏まえて、紙目方向と光の入射方向による光沢性の違いを考える。
【０００９】
図３は、紙に対する光の入射方向の関係を模式的に示す図であり、図４は、紙面表面における光の反射の様子を模式的に示す図である。
図４（ａ）に示すように、紙目方向と光の入射方向が同一である場合、反射表面が滑らかであるため、正反射成分が大きく、それ以外の反射成分が小さくなる。そのため、光沢性が高くなっていると考えられる。また、図４（ｂ）に示すように、紙目方向と光の入射方向が異なる場合、入射した光は、インク受容層の表面の凹凸によって様々な方向へ乱反射するため、正反射成分だけでなく、それ以外の反射成分も大きく発生する。そのため、光沢性が低くなると考えられる。
【００１０】
このように、方向によって紙面の粗さが異なる場合に、入射した光が紙面の粗い方向で反射するか、紙面の滑らかな方向で反射するかによって光沢性が変化している。したがって、前述した方向による光沢性の違いは、紙目方向だけに依存しているのではなく、紙目方向と光の入射方向の関係（以後、「観察条件」と称する）により発生している。そのため、観察条件を考慮しない印刷では、意図した光沢性を再現できない場合があるという問題がある。
【００１１】
本発明は、このような問題点に鑑みてなされたものであり、観察条件を考慮し、より好ましい光沢性となる方向で画像記録（印刷）できるようにすることを目的とする。
【課題を解決するための手段】
【００１２】
本発明の画像処理装置は、画像データを入力する入力部と、前記画像データに基づく画像の上下方向の画像方向を取得する画像方向取得部と、記録媒体の紙目方向を取得する紙目方向取得部と、光の入射方向を取得する入射方向取得部と、前記画像方向、前記紙目方向、及び、前記入射方向に基づいて、前記記録媒体における画像配置を決定する決定部とを有する。
【発明の効果】
【００１３】
本発明によれば、観察条件を考慮し、より好ましい光沢性となる方向で画像記録（印刷）することができる。
【図面の簡単な説明】
【００１４】
【図１】紙目方向を模式的に示す図である。
【図２】インク受容層の膜厚と、定着後の顔料インクの膜厚との関係を模式的に示す図である。
【図３】紙に対する光の入射方向の関係を模式的に示す図である。
【図４】紙面表面における光の反射の様子を模式的に示す図である。
【図５】第１の実施形態に係る画像記録制御システムの一例を示す外観構成図である。
【図６】第１の実施形態を示し、図５に示す画像記録制御装置のハードウェア構成の一例を示すブロック図である。
【図７】第１の実施形態を示し、図５に示すカラープリンタ及び画像記録制御装置の機能構成の一例を示すブロック図である。
【図８】第１の実施形態を示し、図７に示す印刷方向補正部（レイアウト補正部）の概略構成の一例を示すブロック図である。
【図９】第１の実施形態を示し、図８に示す紙目方向判定部による紙目方向判定動作の一例を示すフローチャートである。
【図１０】第１の実施形態を示し、図８に示す紙目方向判定部の概略構成の一例を示すブロック図である。
【図１１】第１の実施形態を示し、図１０に示す紙目方向データ保持部に記憶されているＬＵＴの一例を示す模式図である。
【図１２】第１の実施形態を示し、図８に示す入射方向判定部による入射方向判定動作の一例を示すフローチャートである。
【図１３】第１の実施形態を示し、印刷設定情報の設定ＵＩを示す模式図である。
【図１４】第１の実施形態を示し、図８に示すレイアウト決定部によるレイアウト決定動作の一例を示すフローチャートである。
【図１５】第１の実施形態を示し、図８に示すレイアウト決定部の概略構成の一例を示すブロック図である。
【図１６】第１の実施形態を示し、画像の上下方向、紙目方向、光の入射方向の組み合わせに対応した出力方向の関係を示すＬＵＴの一例の模式図である。
【図１７】第２の実施形態を示し、図５に示す画像記録制御装置のハードウェア構成の一例を示すブロック図である。
【図１８】第２の実施形態を示し、図１７に示す光沢センサーの好ましい一例を示す模式図である。
【図１９】第２の実施形態を示し、図７に示す印刷方向補正部（レイアウト補正部）の概略構成の一例を示すブロック図である。
【図２０】第２の実施形態を示し、図１９に示す紙目方向判定部による紙目方向判定動作の一例を示すフローチャートである。
【発明を実施するための形態】
【００１５】
以下に、図面を参照しながら、本発明を実施するための形態（実施形態）について説明する。
【００１６】
（第１の実施形態）
図５は、第１の実施形態に係る画像記録制御システム（画像処理システム）の一例を示す外観構成図である。
図５において、画像記録制御システム（画像処理システム）５００は、画像記録装置であるカラープリンタ５０１と、ディスプレイ５０２と、コネクタケーブル５０３と、画像処理装置である画像記録制御装置５０４と、キーボード５０５ａ及びマウス５０５ｂを有して構成されている。ここで、画像記録制御装置（画像処理装置）５０４は、プリンタコントローラとクライアントコンピュータを兼ね備えたコンピュータシステムで構成されている。また、コネクタケーブル５０３は、ネットワークケーブル、ＳＣＳＩケーブル、ＵＳＢケーブルなどに代表されるケーブルである。
【００１７】
図６は、第１の実施形態を示し、図５に示す画像記録制御装置５０４のハードウェア構成の一例を示すブロック図である。
図６において、画像記録制御装置５０４は、インターフェース（Ｉ／Ｆ）６０１、ＣＰＵ６０２、ＲＯＭ６０３、ＲＡＭ６０４、ディスプレイ制御部６０５を有して構成されている。さらに、画像記録制御装置５０４は、Ｉ／Ｆ６０６、ＤＶＤ／ＣＤ６０７、ＦＤ６０８、ＨＤ６０９、Ｉ／Ｆ６１０を有して構成されている。
【００１８】
Ｉ／Ｆ６０１は、ユーザーが各種のマニュアル指示等を入力するためのキーボード及びマウス５０５と画像記録制御装置５０４とをつなぐインターフェースである。
ＣＰＵ６０２は、画像記録制御装置５０４の内部の各ブロックの動作を制御、或いは内部に記憶されたプログラムを実行する中央処理装置である。
ＲＯＭ６０３は、予め必要な、画像処理等に用いるプログラムやデータを記憶しておくメモリである。
ＲＡＭ６０４は、ＣＰＵ６０２において処理を行うために一時的にプログラムや処理対象の画像データを格納しておくメモリである。
ディスプレイ制御部６０５は、処理対象の画像の表示や、操作者へのメッセージを表示するディスプレイ５０２の制御を行うものである。
【００１９】
Ｉ／Ｆ６０６は、画像記録制御装置５０４とカラープリンタ５０１とをつなぐインターフェースである。
ＤＶＤ／ＣＤ６０７は、外部記憶媒体の１つであるＣＤ又はＤＶＤ（ＣＤ−Ｒ／ＣＤ−ＲＷ／ＤＶＤ／ＤＶＤ−Ｒ／ＤＶＤ−ＲＷ）に記憶されたデータを読み込み、或いは書き出すことのできるドライブである。
ＦＤ６０８は、ＤＶＤ／ＣＤ６０７と同様に、ＦＤからの読み込み、ＦＤへの書き出しができるドライブである。なお、ＣＤ，ＦＤ，ＤＶＤ等に画像編集用のプログラム、或いはプリンタ情報等が記憶されている場合には、これらのプログラム等をＨＤ６０９上にインストールし、必要に応じてＲＡＭ６０４に転送されるようになっている。
ＨＤ６０９は、ＲＡＭ６０４等に転送されるプログラムや画像データを予め格納したり、処理後の画像データを保存したりすることのできるハードディスクである。
Ｉ／Ｆ６１０は、画像記録制御装置５０４の各所に保持する様々なデータを外部機器へ伝送し、また、外部機器からの様々なデータを受信するモデムやネットワークカード等の伝送機器６１１と画像記録制御装置５０４とをつなぐインターフェースである。
【００２０】
図７は、第１の実施形態を示し、図５に示すカラープリンタ５０１及び画像記録制御装置５０４の機能構成の一例を示すブロック図である。本実施形態のカラープリンタ５０１は、顔料インクによって印刷を行うものであり、そのためにインクを吐出する記録ヘッド７１１が用いられる。図５及び図７に示すように、本実施形態の画像記録制御システム５００は、この顔料インクを用いる画像記録装置としてのカラープリンタ５０１と、画像記録制御装置５０４としてのパーソナルコンピュータ（ＰＣ）を有して構成されるものである。
【００２１】
画像記録制御装置５０４のオペレーティングシステムで動作するプログラムとして、アプリケーション７０１やプリンタドライバがある。アプリケーション７０１は、カラープリンタ５０１で印刷する画像データを作成する処理を実行する。この画像データもしくはその編集等がなされる前のデータは、種々の媒体を介して画像記録制御装置５０４であるＰＣに取り込むことができる。本実施形態の画像記録制御装置５０４であるＰＣは、先ずディジタルカメラで撮像した例えばＪＰＥＧ形式の画像データをフラッシュメモリなど外部入力６１１からＩ／Ｆ６１０を介して取り込むことができる。また、例えば、ＨＤ６０９に格納されている画像データやＣＤ−ＲＯＭ（６０７）に格納される画像データをも取り込むことができる。さらには、インターネットからＮＩＣ６１１を介してウエブ上のデータを取り込むことができる。これらの取り込まれたデータは、ディスプレイ５０２に表示されてアプリケーション７０１を介した編集、加工等がなされ、例えばｓＲＧＢ規格の画像データＲ、Ｇ、Ｂが作成される。そして、印刷の指示に応じてこの画像データがプリンタドライバに渡される。
【００２２】
本実施形態の画像記録制御装置５０４におけるプリンタドライバは、その処理として、印刷方向補正部（レイアウト補正部）７０２、前段処理部７０３、後段処理部７０４、γ補正部７０５、ハーフトーニング部７０６、及び印刷データ作成部７０７を有している。
【００２３】
印刷方向補正部（レイアウト補正部）７０２では、画像の印刷レイアウトを変更する。より具体的には、プリンタドライバに設定された記録媒体の種類と光沢設定から観察条件を決定し、画像データの明度情報、画像の上下方向から、記録媒体上の画像配置を決定する。
【００２４】
前段処理部７０３は、色域（Ｇａｍｕｔ）のマッピングを行う。本実施形態の前段処理部７０３は、ｓＲＧＢ規格の画像データＲ、Ｇ、Ｂによって再現される色域を、本画像記録制御システムのカラープリンタ５０１によって再現される色域内に写像する関係を内容とする３次元ＬＵＴを用いる。これに、補間演算を併用して８ビットの画像データＲ、Ｇ、Ｂをカラープリンタ５０１の色域内のデータＲ、Ｇ、Ｂに変換するデータ変換を行う。
【００２５】
後段処理部７０４は、上記色域のマッピングがなされたデータＲ、Ｇ、Ｂに基づき、このデータが表す色を再現するインクの組み合わせに対応した、例えばＹ、Ｍ、Ｃ、Ｋ、Ｌｃ、Ｌｍなどの色分解データを求める処理を行う。本実施形態では、この処理は、前段処理部７０３と同様、３次元ＬＵＴに補間演算を併用して行う。
【００２６】
γ補正部７０５は、後段処理部７０４によって求められた色分解データの各色のデータごとにその階調値変換を行う。具体的には、カラープリンタ５０１の各色インクの階調特性に応じた１次元ＬＵＴを用いることにより、上記色分解データがカラープリンタ５０１の階調特性に線形的に対応づけられるような変換を行う。
【００２７】
ハーフトーニング部７０６は、例えば８ビットの色分解データＹ、Ｍ、Ｃ、Ｋ、Ｌｃ、Ｌｍそれぞれについて、例えば４ビットのデータに変換する量子化を行う。本実施形態で行う量子化は、誤差拡散法を用いて８ビットデータを４ビットデータに変換する方法を用いる事として説明を続ける。この４ビットデータは、画像記録装置であるカラープリンタ５０１におけるドット配置パターン化処理部７０８における配置パターンを示すためのインデックスとなるデータである。
【００２８】
印刷データ作成部７０７は、上記４ビットのインデックスデータを内容とする印刷イメージデータに印刷制御情報を加えた印刷データを作成する。なお、上述したアプリケーション７０１及びプリンタドライバの処理は、それらのプログラムに従ってＣＰＵ６０２により行われる。その際、プログラムは、ＲＯＭ６０３もしくはハードディスク６０９から読み出されて用いられ、また、その処理実行に際してＲＡＭ６０４がワークエリアとして用いられる。
【００２９】
画像記録装置（カラープリンタ）５０１は、データ処理に関してドット配置パターン化処理部７０８部及びマスクデータ変換処理部７０９を有し、さらに、ヘッド駆動回路部７１０及び記録ヘッド７１１を有する。
【００３０】
ドット配置パターン化処理部７０８は、実際の印刷画像に対応する画素ごとに、印刷イメージデータである４ビットのインデックスデータ（階調値情報）に対応したドット配置パターンに従ってドット配置を行う。このように、４ビットデータで表現される各画素に対し、当該画素の階調値に対応したドット配置パターンを割当てることで、画素内の複数のエリア各々にドットのオン・オフが定義され、そして１画素内のエリアごとに「１」または「０」の吐出データが配置される。
【００３１】
このようにして得られる１ビットの吐出データは、マスクデータ変換処理部７０９によってマスク処理がなされる。すなわち、マスクデータ変換処理部７０９は、記録ヘッド７１１による所定幅の走査領域の記録を複数回の走査で完成するための各走査の吐出データを、それぞれの走査に対応したマスクを用いた処理によって生成する。
【００３２】
走査ごとの吐出データＹ、Ｍ、Ｃ、Ｋ、Ｌｃ、Ｌｍは、適切なタイミングでヘッド駆動回路部７１０に送られ、これにより、記録ヘッド７１１が駆動されて吐出データに従ってそれぞれのインクが吐出される。なお、画像記録装置（カラープリンタ）５０１における上述のドット配置パターン化処理部７０８やマスクデータ変換処理部７０９による処理は、それらに専用のハードウェア回路を用いて画像記録装置５０１の制御部を構成するＣＰＵの制御の下に実行される。
【００３３】
なお、これらの処理がプログラムに従ってＣＰＵにより行われてもよい。また、上記処理が、画像記録制御装置（ＰＣ）５０４における例えばプリンタドライバによって実行されるものでもよく、本発明を適用する上でこれら処理の形態が問われないことは、以下の説明からも明らかである。
【００３４】
図８は、第１の実施形態を示し、図７に示す印刷方向補正部（レイアウト補正部）７０２の概略構成の一例を示すブロック図である。
画像データの入力端子８０１は、画像データを入力する画像データ入力部である。
画像方向判定部（画像方向取得部）８０２は、画素データの入力端子８０１から入力された画像データに基づく画像の上下方向の画像方向を判定し取得する。
紙目方向判定部（紙目方向取得部）８０３は、記録媒体の種類及び紙目方向を判定し取得する。
入射方向判定部（入射方向取得部）８０４は、光の入射方向を判定し取得する。
レイアウト決定部８０５は、前記画像方向、前記紙目方向、及び、前記入射方向に基づいて、記録媒体における画像配置である出力レイアウトを決定する。
画像データの出力端子８０６は、画像データの出力する画像データ出力部である。
【００３５】
以下に、印刷方向補正部（レイアウト補正部）７０２の動作について説明する。
まず、アプリケーション７０１からの画像データが、入力端子８０１から入力される。次に、画像方向判定部８０２では、画像データの特徴量から当該画像データに基づく画像の上下方向を判定し、レイアウト決定部８０５へ送信する。なお、ここでの画像情報判定方法は、公知の方法である顔検出の結果から画像の上下方向と判定する方法や、青領域が多い部分を空と判定して画像の上下方法を取得する方法、カメラの重力センサーの値から上下方向を取得する方法を用いることができる。
【００３６】
次に、紙目方向判定部８０３では、記録媒体の種類と紙目方向を判定し、レイアウト決定部８０５へ送信する。次に、入射方向判定部８０４では、光の入射方向を判定し、レイアウト決定部８０５へ送信する。
【００３７】
レイアウト決定部８０５では、画像方向判定部８０２にて判定した画像方向と、紙目方向判定部８０３にて判定した紙目方向と、入射方向判定部８０４にて判定した光の入射方向とを取得し、これらの情報に基づいて、画像回転や画像縮小といった画像変換を行う。次に、レイアウト決定部８０５では、変換結果に基づいて、記録媒体上での画像配置（出力レイアウト）を決定し、出力端子８０６へ送信する。
【００３８】
図９は、第１の実施形態を示し、図８に示す紙目方向判定部８０３による紙目方向判定動作の一例を示すフローチャートである。なお、紙目方向判定部８０３は、図１０に示すように、記録媒体判定部（記録媒体取得部）１００１と、紙目方向データ保持部（紙目方向データベース）１００２と、紙目方向検出部１００３から構成される。
【００３９】
まず、図９のステップＳ９０１において、記録媒体判定部１００１は、印刷設定情報として、記録媒体の種類設定を取得し、記録媒体の種類を判定する。
【００４０】
続いて、ステップＳ９０２において、紙目方向検出部１００３は、記録媒体判定部１００１で判定された記録媒体の種類を取得し、紙目方向データ保持部１００２を参照し、記録媒体の紙目方向を検出する。
【００４１】
続いて、ステップＳ９０３において、紙目方向検出部１００３は、検出した紙目方向を記録し、レイアウト決定部８０５へ送信する。その後、図９のフローチャートの処理が終了する。
【００４２】
なお、図１１は、第１の実施形態を示し、図１０に示す紙目方向データ保持部１００２に記憶されているＬＵＴの一例を示す模式図である。図１１（ａ）に示すＬＵＴには、各記録媒体の紙目方向が記載されている。また、ＬＵＴに記載される方向は、長辺に対して平行な場合には長辺方向、短辺に対して平行な場合には短辺方向と定義する（図１１（ｂ）参照）。
【００４３】
図１２は、第１の実施形態を示し、図８に示す入射方向判定部８０４による入射方向判定動作の一例を示すフローチャートである。
【００４４】
まず、ステップＳ１２０１において、入射方向判定部８０４は、印刷設定情報として、光沢設定を取得する。
【００４５】
続いて、ステップＳ１２０２において、入射方向判定部８０４は、ステップＳ１２０１で取得した光沢設定が高であるか否かを判断する。
【００４６】
ステップＳ１２０２の判断の結果、ステップＳ１２０１で取得した光沢設定が高である場合には、ステップＳ１２０３に進む。
ステップＳ１２０３に進むと、光の入射方向を長辺方向（紙目平行）と記録する。
【００４７】
一方、ステップＳ１２０２の判断の結果、ステップＳ１２０１で取得した光沢設定が高でない場合には、ステップＳ１２０４に進む。
ステップＳ１２０４に進むと、光の入射方向を短辺方向（紙目垂直）と記録する。
【００４８】
ステップＳ１２０３の処理が終了した場合、或いは、ステップＳ１２０４の処理が終了した場合には、図１２のフローチャートの処理が終了する。
【００４９】
なお、印刷設定情報における記録媒体の種類と光沢性の高低の設定情報は、プリンタドライバの表示ＵＩから設定してもよい。
図１３は、第１の実施形態を示し、印刷設定情報の設定ＵＩを示す模式図である。
【００５０】
本実施形態における印刷設定情報の設定ＵＩは、用紙設定コンボボックス１３０１、光沢設定（高）ラジオボタン１３０２、光沢設定（低）ラジオボタン１３０３、設定ボタン１３０４、キャンセルボタン１３０５から構成される。本実施形態の印刷設定は、記録媒体の種類、光沢設定の少なくとも２つを含むものである。
【００５１】
以下に、印刷設定情報の設定ＵＩの設定動作について説明する。
まず、プリンタドライバが起動すると、図１３の印刷設定情報の設定ＵＩがディスプレイ５０２に表示され、ユーザーの入力待ち状態となる。
【００５２】
次に、ユーザーにより用紙設定コンボボックス１３０１がクリックされると、記録媒体の一覧が表示される。次に、ユーザーが所望の記録媒体を選択すると、選択された記録媒体の表示が反転表示される。また、用紙設定コンボボックス１３０１の最上部に、前述の（選択された）記録媒体が表示され、ユーザーの入力待ち状態となる。次いで、ユーザーにより光沢設定（高）ラジオボタン１３０２が押されると、光沢設定（高）ラジオボタン１３０２にチェック印を表示し、レイアウト決定部８０５により光沢設定（高）が選択される。また、ユーザーの入力待ち状態となる。一方、ユーザーにより光沢設定（低）ラジオボタン１３０３が押されると、光沢設定（低）ラジオボタン１３０３にチェック印を表示し、レイアウト決定部８０５により光沢設定（低）が選択される。そして、また、ユーザーの入力待ち状態となる。
【００５３】
続いて、設定ボタン１３０４が押されると、用紙設定で設定された記録媒体の種類と、チェック印が表示された光沢設定情報が記録される。なお、キャンセルボタン１３０５が押されると、印刷設定情報を記録せずに動作を終了する。
【００５４】
図１４は、第１の実施形態を示し、図８に示すレイアウト決定部８０５によるレイアウト決定動作の一例を示すフローチャートである。なお、レイアウト決定部８０５は、図１５に示すように、方向判定部１５０１、画像編集部１５０２から構成される。
【００５５】
まず、図１４のステップＳ１４０１において、方向判定部１５０１は、画像上下方向情報による画像の上下方向、紙目方向情報による紙目方向、入射方向情報による光の入射方向を取得する。
【００５６】
続いて、ステップＳ１４０２において、方向判定部１５０１は、ステップＳ１４０１で取得した情報から、出力方向変更の有無を判定する。
【００５７】
続いて、ステップＳ１４０３において、方向判定部１５０１（或いは画像編集部１５０２）は、ステップＳ１４０２の判定結果が変更になっているか否かを判断する。この判断の結果、ステップＳ１４０２の判定結果が変更になっている場合には、ステップＳ１４０４に進む。
ステップＳ１４０４に進むと、画像編集部１５０２は、画像回転や拡大・縮小といった画像編集を行う。
【００５８】
ステップＳ１４０４の処理が終了した場合、或いは、ステップＳ１４０３でステップＳ１４０２の判定結果が変更になっていない場合には、図１４のフローチャートの処理を終了する。
【００５９】
図１６は、第１の実施形態を示し、画像の上下方向、紙目方向、光の入射方向の組み合わせに対応した出力方向の関係を示すＬＵＴの一例の模式図である。
【００６０】
なお、上記印刷方向補正部（レイアウト補正部）７０２における説明においては、画像記録装置本体ではなく画像記録制御装置５０４にて処理されることを前提に説明してきたが、本実施形態はこれに限定されるものではない。印刷方向補正部（レイアウト補正部）７０２による処理自体がアプリケーション７０１の内部、プリンタドライバの内部、画像記録装置５０１の内部で処理される構成であってもよい。
また、本実施形態における光沢特性は、鏡面光沢度（正反射の光量）、写像性のうちの少なくとも１つを含む。
【００６１】
また、上記実施形態では、記録媒体と画像のサイズを比較して画像サイズの方が大きい場合には画像の縮小を行う例について説明したが、本発明はこれに限らない。つまり、より大きなサイズの記録媒体に交換するなどして、縮小を行わない方法が可能である。
【００６２】
本実施形態では、印刷後の光沢性が高い方向、低い方向を選択可能なため、光沢性が低くなるようにレイアウトを変更することも可能である。
上記に説明したように、本実施形態によれば、記録媒体の紙目方向と画像の上下方向、光の入射方向から、常に光沢性が高・低について所望の状態に再現する方向にレイアウトを制御することにより、光沢再現の高・低を選択することが可能である。即ち、観察条件を考慮し、より好ましい光沢性となる方向で画像記録（印刷）することができる。
【００６３】
（第２の実施形態）
第１の実施形態では、記録媒体の紙目方向が既知である場合の出力レイアウト決定方法について説明した。
本実施例においては、未知の記録媒体に対する構成について説明する。なお、第１の実施形態と重複する部分については省略し、差異のみ記載する。
【００６４】
図１７は、第２の実施形態を示し、図５に示す画像記録制御装置５０４のハードウェア構成の一例を示すブロック図である。
図１７において、Ｉ／Ｆ１７０１は、記録媒体の光沢データを測定する光沢センサー１７０２と画像記録制御装置５０４とをつなぐインターフェースである。
【００６５】
図１８は、第２の実施形態を示し、図１７に示す光沢センサー１７０２の好ましい一例を示す模式図である。また、ここでの記録媒体方向は長辺が縦になることを前提とする。
図１８において、光沢センサー１８０１は、センサー短辺方向（水平方向）の光沢測定を行う。光沢センサー１８０２は、センサー長辺方向（垂直方向）の光沢測定を行う。
【００６６】
図１９は、第２の実施形態を示し、図７に示す印刷方向補正部（レイアウト補正部）７０２の概略構成の一例を示すブロック図である。
光沢センサーの入力端子１９０１は、光沢センサーデータを入力する光沢センサーデータ入力部であり、紙目方向判定部（紙目方向取得部）１９０２は、紙目方向を判定し取得する。
【００６７】
以下に、紙目方向判定部１９０２の動作について説明する。
まず、紙目方向判定部１９０２は、光沢センサーの入力端子１９０１から入力される光沢情報から紙目方向を検出する。最後に、紙目方向をレイアウト決定部８０５へ送信する。
【００６８】
図２０は、第２の実施形態を示し、図１９に示す紙目方向判定部１９０２による紙目方向判定動作の一例を示すフローチャートである。
【００６９】
まず、ステップＳ２００１において、紙目方向判定部１９０２は、光沢センサーの入力端子１９０１を介して、光沢センサー１７０２（より具体的には、１８０１及び１８０２）からの光沢測定データを取得する。
【００７０】
続いて、ステップＳ２００２では、紙目方向判定部１９０２は、光沢センサー１８０１の測定値Ｍ１と、光沢センサー１８０２の測定値Ｍ２とを比較し、光沢センサー１８０１の測定値Ｍ１の方が光沢センサー１８０２の測定値Ｍ２よりも大きいか否かを判断する。この判断の結果、光沢センサー１８０１の測定値Ｍ１の方が光沢センサー１８０２の測定値Ｍ２よりも大きい場合には、ステップＳ２００３に進む。
ステップＳ２００３に進むと、紙目方向判定部１９０２は、紙目方向を短辺方向と判定する。
【００７１】
一方、ステップＳ２００２の判断の結果、光沢センサー１８０１の測定値Ｍ１の方が光沢センサー１８０２の測定値Ｍ２よりも大きくない場合には、ステップＳ２００４に進む。
ステップＳ２００４に進むと、紙目方向判定部１９０２は、紙目方向を長辺方向と判定する。
【００７２】
即ち、紙目方向判定部１９０２は、光沢センサーの測定値における記録媒体の垂直方向、及び、水平方向の２方向の測定値に基づいて、記録媒体の紙目方向を判定する。
【００７３】
ステップＳ２００３の処理が終了した場合、或いは、ステップＳ２００４の処理が終了した場合には、図２０のフローチャートの処理が終了する。
本実施形態では、図１７において、光沢センサー１７０２を画像記録制御装置５０４に接続するものとしたが、光沢センサー１７０２は、画像記録装置５０１の内部に具備することも可能である。
【００７４】
本実施形態によれば、未知の記録媒体の紙目方向と画像の上下方向、光の入射方向から、常に光沢性が高・低について所望の状態に再現する方向にレイアウトを制御することにより、光沢再現の高・低を選択することが可能である。即ち、観察条件を考慮し、より好ましい光沢性となる方向で画像記録（印刷）することができる。
【００７５】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
このプログラム及び当該プログラムを記憶したコンピュータ読み取り可能な記録媒体は、本発明に含まれる。
【図１】
2012175131.tif 000003
【図２】
2012175131.tif 000004
【図３】
2012175131.tif 000005
【図４】
2012175131.tif 000006
【図５】
2012175131.tif 000007
【図６】
2012175131.tif 000008
【図７】
2012175131.tif 000009
【図８】
2012175131.tif 000010
【図９】
2012175131.tif 000011
【図１０】
2012175131.tif 000012
【図１１】
2012175131.tif 000013
【図１２】
2012175131.tif 000014
【図１３】
2012175131.tif 000015
【図１４】
2012175131.tif 000016
【図１５】
2012175131.tif 000017
【図１６】
2012175131.tif 000018
【図１７】
2012175131.tif 000019
【図１８】
2012175131.tif 000020
【図１９】
2012175131.tif 000021
【図２０】
2012175131.tif 000022